(57)【要約】【課題】配線板状部材が差し込まれるハウジングを有したコネクタ装置であって、ハウジングの寸法の増大をまねくことなく、複数のコンタクトの夫々と配線板状部材の接触端子部とが適正な電気的接続状態におかれなくなる事態を回避できるものを提供する。【解決手段】ハウジング（１１）と、複数のコンタクト（１６）と、回動可能に配されて複数のコンタクトに係合するアクチュエータ（２０）とを備え、アクチュエータがその回動に伴って、複数のコンタクトの夫々に、ハウジングに差し込まれたフレキシブル印刷配線基板における接触端子部に当接しつつ接触端子部に対して往復摺動する状態をとらせる。【選択図】図１６
2014179299.tif 000002
【特許請求の範囲】
【請求項１】
板状部材差込み部が設けられたハウジングと、
該ハウジングに配列配置され、上記板状部材差込み部を通じて上記ハウジングに差し込まれた配線板状部材における複数の接触端子部に夫々対応する位置をとるものとされる複数のコンタクトと、
上記ハウジングに対して回動可能に配されて第１の静止位置と第２の静止位置とを選択的にとり、上記配線板状部材が上記ハウジングに上記板状部材差込み部を通じて差し込まれたもとで、上記第１の静止位置から上記第２の静止位置に移行せしめられるとき、上記複数のコンタクトに上記複数の接触端子部に対する押圧接触状態をとらせ、上記第２の静止位置から上記第１の静止位置に移行せしめられるとき、上記複数のコンタクトを上記複数の接触端子部に対する押圧接触状態から解放するアクチュエータと、
を備え、
上記複数のコンタクトの夫々が、上記アクチュエータに係合する係合部と上記接触端子部に対して押圧接触する接触部とを有し、
上記アクチュエータが、上記複数のコンタクトの夫々の係合部に押圧作用を及ぼすカム部，第１の押圧部及び第２の押圧部が設けられ、上記配線板状部材が上記ハウジングに上記板状部材差込み部を通じて差し込まれたもとでの上記第１の静止位置から上記第２の静止位置への移行時に、上記カム部により上記係合部を第１の方向に押圧するとともに、上記第１及び第２の押圧部により上記係合部を上記第１の方向に直交する第２の方向及び該第２の方向とは逆の第３の方向に順次押圧して、上記複数のコンタクトの夫々の接触部に上記配線板状部材における接触端子部に当接しつつ該接触端子部に対して往復摺動する状態をとらせることを特徴とするコネクタ装置。
【請求項２】
上記複数のコンタクトの夫々の係合部に凸部が形成されており、上記アクチュエータの上記第１の静止位置から上記第２の静止位置への移行時に、上記アクチュエータの第１の押圧部が上記凸部を一時的に上記第２の方向に押圧して上記係合部を上記第２の方向に移動させ、その後、上記アクチュエータの第２の押圧部が上記係合部における上記凸部が形成された部分を上記第３の方向に押圧して上記係合部を上記第３の方向に移動させることを特徴とする請求項１記載のコネクタ装置。
【請求項３】
上記複数のコンタクトの夫々の係合部に上記凸部に隣接する凹部が形成されており、上記アクチュエータの第１の押圧部が、上記アクチュエータが上記第１の静止位置をとるとき上記凹部に係合する状態におかれ、上記アクチュエータが上記第２の静止位置をとるとき上記凹部及び上記凸部のいずれにも係合しない状態におかれることを特徴とする請求項２記載のコネクタ装置。
【請求項４】
上記アクチュエータが、上記複数のコンタクトの係合部に夫々対応する複数の上記第１の押圧部と上記複数のコンタクトの係合部に夫々対応する複数の上記第２の押圧部とを有し、複数の上記第１の押圧部及び複数の上記第２の押圧部の夫々が上記複数のコンタクトの配列方向に沿って配列配置されていることを特徴とする請求項１記載のコネクタ装置。
【請求項５】
上記複数のコンタクトの夫々が、上記ハウジングに固定される第１のビーム部と、上記ハウジングに対して移動可能とされた第２のビーム部と、上記第１のビーム部と上記第２のビーム部とを相互連結する連結部とを有し、上記第２のビーム部に上記係合部と上記接触部とが設けられていることを特徴とする請求項１記載のコネクタ装置。
【請求項６】
上記複数のコンタクトの夫々が、該コンタクトの上記第２のビーム部における上記連結部を挟んで位置する両端部に上記係合部と上記接触部とが設けられたものとされることを特徴とする請求項５記載のコネクタ装置。
【請求項７】
上記複数のコンタクトの夫々が、上記アクチュエータにおける上記カム部により、上記第２のビーム部の上記両端部のうちの一方に設けられた上記係合部が上記第１の方向に押圧されるとき、上記第２のビーム部の上記両端部のうちの他方に設けられた上記接触部が上記連結部を移動中心にして上記第１のビーム部に近接する方向に移動せしめられることを特徴とする請求項６記載のコネクタ装置。
【請求項８】
上記複数のコンタクトの夫々が、上記アクチュエータにおける上記第１の押圧部及び上記第２の押圧部により、上記第２のビーム部の上記両端部のうちの一方に設けられた上記係合部が上記第２の方向及び上記第３の方向に順次押圧されるとき、上記第２のビーム部の上記両端部のうちの他方に設けられた上記接触部が上記連結部を移動中心にして上記第３の方向及び上記第２の方向に往復移動せしめられることを特徴とする請求項７記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材に設けられた接触端子部を、固体印刷配線基板等とされる配線基板に電気的に接続された状態とするため、配線基板に連結されたもとで配線板状部材における接触端子部に押圧接触するコンタクトを備えたコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる配線基板への取付けが、当該配線基板に電気的接続がなされて固定されたコネクタ装置が用いられて行われることが多いものとされる。このような配線板状部材の配線基板への取付けにあたって用いられるコネクタ装置は、配線板状部材に設けられた接触端子部に接触接続される導電性のコンタクトを有していて、そのコンタクトを介して、配線板状部材に設けられた接触端子部を配線基板に設けられた配線部に電気的に連結する。
【０００３】
従来提案されている、例えば、フレキシブル平板状ケーブルとされる配線板状部材の配線基板への取付けに用いられるコネクタ装置は、配線板状部材が差し込まれる差込み部が設けられたものとされて配線基板に配される、絶縁材料によって形成されたハウジングを有したものとされる。そして、そのハウジングに配列配置されて設けられ、配線板状部材が差込み部を通じてハウジングに差し込まれたとき、その配線板状部材に設けられた複数の接触端子部に夫々対応するものとなる複数のコンタクトと、ハウジングに対して回動可能に設けられ、複数のコンタクトの夫々に係合して、回動せしめられるとき複数のコンタクトの夫々の部分を変位させ、それにより複数のコンタクトを複数の接触端子部に夫々押圧接触させるアクチュエータとが備えられる。
【０００４】
アクチュエータは、全体が複数のコンタクトの配列方向に沿って伸びる細長形状をとり、カム部と操作部とが設けられていて、カム部において複数のコンタクトの夫々と係合し、操作部が操作されることにより、ハウジングに対して回動せしめられる。
【０００５】
複数のコンタクトの各々は、導電性の弾性材料で形成され、ハウジングに固定される部分である固定部と連結部により固定部に連結されて変位可能とされた部分である可動部とを有するものされる。そして、固定部は、ハウジングが配された配線基板における印刷配線部等の配線部に電気的に接続され、また、可動部は、配線板状部材に設けられた接触端子部に押圧接触する接触部が設けられたもとで、アクチュエータのカム部によって変位せしめられる。
【０００６】
斯かるコネクタ装置にあっては、配線基板に配されたハウジングに差込み部を通じて配線板状部材が差し込まれたもとで、アクチュエータが所定の方向に回動せしめられると、アクチュエータが、複数のコンタクトの夫々における可動部を変位させて、当該可動部の接触部に配線板状部材に設けられた複数の接触端子部のうちの対応するものに対する押圧接触状態をとらせる。また、複数のコンタクトの各々における可動部の接触部が配線板状部材に設けられた複数の接触端子部のうちの対応するものに押圧接触する状態をとるもとで、アクチュエータが上述の所定の方向とは逆の方向に回動せしめられると、アクチュエータが、複数のコンタクトの夫々における可動部を変位させて、当該可動部の接触部を配線板状部材に設けられた複数の接触端子部のうちの対応するものに対する押圧接触状態から解放する。
【０００７】
このような従来提案されているコネクタ装置にあっては、例えば、ハウジングに差込み部を通じて差し込まれる配線板状部材に設けられた複数の接触端子部が、それらの表面に塵埃等の微細な異物が付着したものとされており、斯かる配線板状部材における複数の接触端子部に対して、ハウジングに配列配置された複数のコンタクトにおける接触部が押圧接触する状態をとるものとされることが考えられる。このような場合には、ハウジングに配列配置された複数のコンタクトの夫々における接触部が、ハウジングに差込み部を通じて差し込まれた配線板状部材における複数の接触端子部のうちの対応するものに押圧接触する状態をとるにあたり、コンタクトにおける接触部と配線板状部材における接触端子部との間に微細な異物が介在することになって、コンタクトにおける接触部と配線板状部材における接触端子部とが、両者間の電気的接触抵抗が著しく高くなってしまう事態あるいは両者が電気的に絶縁されてしまう事態等がまねかれて、適正な電気的接続状態におかれなくなってしまう虞がある。
【０００８】
そのため、上述のような、ハウジングを有し、ハウジングに配列配置された複数のコンタクトとハウジングに対して回動可能とされるアクチュエータとを備えたコネクタ装置であって、複数のコンタクトの夫々における接触部が、ハウジングに差込み部を通じて差し込まれた配線板状部材における接触端子部に押圧接触する状態をとるにあたり、接触端子部の表面に付着した塵埃等の微細な異物の除去を図ることにより、コンタクトにおける接触部と配線板状部材における接触端子部とが適正な電気的接続状態におかれなくなってしまう事態を回避しようとしたものが従来提案されている（例えば、特許文献１参照。）。
【０００９】
特許文献１に示されるコネクタ装置（コネクタ(10)) にあっては、差込み部（キャビティ(30)）が設けられたハウジング（11) に複数のコンタクト(20B;20B')が配列配置されており、また、ハウジングに対して回動可能とされたアクチュエータ(12)が、複数のコンタクトに係合するカム部（カム軸部(40B))を有して配されている。ハウジングには、配線板状部材（平形ケーブル(200))が、差込み部を通じて複数のコンタクトの配列方向に直交する方向をもって差し込まれる。そして、複数のコンタクトが、ハウジングに差込み部を通じて差し込まれた配線板状部材における接触端子部（導体パターン部）に押圧接触する。また、その後必要に応じて、ハウジングから、配線板状部材が、差込み部を通じて抜き出される。以下、ハウジングに対する配線板状部材の差込み方向を板状部材差込み方向という。
【００１０】
複数のコンタクトの夫々は、ハウジングに固定された固定部（ベース部(22)) とハウジングに対して変位可能とされた可動部（コンタクトビーム(23)) と可動部を固定部に連結して可動部と共に変位可能とされた連結部（バネ部(24)) とを有しており、可動部の先端に配線板状部材における接触端子部に接触する接触部（先端部(23a))が形成されている。連結部は、それに対してアクチュエータのカム部が押圧係合する状態をとるものとされている。
【００１１】
このような特許文献１に示されるコネクタ装置においては、配線板状部材がハウジングに差込み部を通じて差し込まれたもとで、複数のコンタクトに配線板状部材における接触端子部に対する押圧接触状態をとらせるべく、アクチュエータがハウジングに対して回動せしめられるとき、アクチュエータが有するカム部が、複数のコンタクトの夫々における連結部を押圧して、連結部を板状部材差込み方向とは逆の方向に変位させる。斯かる連結部の変位に伴って、複数のコンタクトの夫々における可動部が、板状部材差込み方向とは逆の方向及び板状部材差込み方向に直交する方向に変位せしめられる。それにより、複数のコンタクトの夫々における可動部に形成された接触部が、ハウジングに差し込まれた配線板状部材における接触端子部に対して押圧当接するとともに板状部材差込み方向とは逆の方向に摺動するものとされる。
【００１２】
このようにして、コンタクトの接触部が配線板状部材の接触端子部に対して押圧当接するとともに摺動するものとされることにより、配線板状部材の接触端子部の表面に塵埃等の微細な異物が付着していた場合には、その接触端子部に対して摺動するコンタクトの接触部によって接触端子部の表面に付着した微細な異物が除去されて、コンタクトの接触部と配線板状部材の接触端子部とが適正な電気的接続状態におかれなくなってしまう事態が回避されることが期待される。
【先行技術文献】
【特許文献】
【００１３】
【特許文献１】特開２００８−１２３８０２号公報（段落００１９〜００２８、図２  〜５）
【発明の概要】
【発明が解決しようとする課題】
【００１４】
上述のように、ハウジングを有して、ハウジングに配列配置された複数のコンタクトとハウジングに対して回動可能とされるアクチュエータとを備え、複数のコンタクトの夫々における接触部が、ハウジングに差込み部を通じて差し込まれた配線板状部材における接触端子部に押圧接触する状態をとるにあたり、配線板状部材に設けられた複数の接触端子部の表面に付着した塵埃等の微細な異物の除去を図るようにした従来のコネクタ装置においては、アクチュエータのカム部によって複数のコンタクトの夫々における連結部及び可動部を板状部材差込み方向とは逆の方向に変位させるために必要とされるスペースを、ハウジング内における差込み部から見たとき複数のコンタクトにおける連結部の後方となる部位に備えなければならない。斯かるスペースがハウジング内に備えられることは、ハウジングにおける板状部材差込み方向の寸法、即ち、ハウジングに設けられた差込み部から見た奥行き寸法の増大をまねき、それゆえ、上述の従来のコネクタ装置は、ハウジングを含めたコネクタ装置全体の小型化に支障を来すことになる不都合を伴うものとなっている。
【００１５】
斯かる点に鑑み、本願の特許請求の範囲に記載された発明は、例えば、フレキシブル印刷配線基板等とされる配線板状部材の配線基板への取付けに用いられる、板状部材差込み部が設けられたハウジングと、ハウジングに配列配置されて設けられる複数のコンタクトと、ハウジングに対して回動可能に配されて複数のコンタクトに係合し、複数のコンタクトに板状部材差込み部を通じてハウジングに差し込まれた配線板状部材の接触端子部に押圧接触する状態と押圧接触から解放される状態とをとらせるアクチュエータとを備えたコネクタ装置であって、ハウジングにおける板状部材差込み方向の寸法の増大をまねくことなく、複数のコンタクトの夫々の接触部と配線板状部材の接触端子部とが適正な電気的接続状態におかれなくなってしまう事態を回避することができるものを提供する。
【課題を解決するための手段】
【００１６】
本願の特許請求の範囲における請求項１から請求項８までのいずれかに記載された発明（以下、本願発明という。）に係るコネクタ装置は、板状部材差込み部が設けられたハウジングと、ハウジングに配列配置され、板状部材差込み部を通じてハウジングに差し込まれた配線板状部材における複数の接触端子部に夫々対応する位置をとるものとされる複数のコンタクトと、ハウジングに対して回動可能に配されて第１の静止位置と第２の静止位置とを選択的にとり、配線板状部材がハウジングに板状部材差込み部を通じて差し込まれたもとで、第１の静止位置から第２の静止位置に移行せしめられるとき、複数のコンタクトに配線板状部材における複数の接触端子部に対する押圧接触状態をとらせ、第２の静止位置から第１の静止位置に移行せしめられるとき、複数のコンタクトを配線板状部材における複数の接触端子部に対する押圧接触状態から解放するアクチュエータとを備え、複数のコンタクトの夫々が、アクチュエータに係合する係合部と配線板状部材における接触端子部に対して押圧接触する接触部とを有し、アクチュエータが、コンタクトの係合部に押圧作用を及ぼすカム部，第１の押圧部及び第２の押圧部が設けられ、配線板状部材がハウジングに板状部材差込み部を通じて差し込まれたもとでの第１の静止位置から第２の静止位置への移行時に、カム部によりコンタクトの係合部を第１の方向に押圧するとともに、第１及び第２の押圧部によりコンタクトの係合部を第１の方向に直交する第２の方向及び第２の方向とは逆の第３の方向に順次押圧して、複数のコンタクトの夫々の接触部に配線板状部材における接触端子部に当接しつつその接触端子部に対して往復摺動する状態をとらせることを特徴とするものとされる。
【００１７】
特に、本願発明のうちの本願の特許請求の範囲における請求項４に記載された発明に係るコネクタ装置は、アクチュエータが、複数のコンタクトの係合部に夫々対応する複数の第１の押圧部と複数のコンタクトの係合部に夫々対応する複数の第２の押圧部とを有し、複数の第１の押圧部及び複数の第２の押圧部の夫々が複数のコンタクトの配列方向に沿って配列配置されていることを特徴とする。
【００１８】
上述のように構成される本願発明に係るコネクタ装置は、実際に使用される際には、ハウジングが配線基板に配されたものとされる。そして、本願発明に係るコネクタ装置にあっては、配線基板に配されたハウジングに板状部材差込み部を通じて配線板状部材が差し込まれたもとで、アクチュエータが第１の静止位置から第２の静止位置に移行せしめられると、アクチュエータが係合する複数のコンタクトの夫々が、ハウジングに差し込まれた配線板状部材における複数の接触端子部のうちの対応するものに対する押圧接触状態をとるものとされる。
【００１９】
その際、アクチュエータが第１の静止位置から第２の静止位置に移行せしめられる過程において、アクチュエータに設けられたカム部がそれに対応するコンタクトの係合部を、例えば、ハウジングに対する配線板状部材の差込みの方向、即ち、板状部材差込み方向に直交する方向とされる第１の方向に押圧するとともに、アクチュエータに設けられた第１の押圧部がそれに対応するコンタクトの係合部を、例えば、板状部材差込み方向及び第１の方向の両者に直交する第２の方向に押圧し、続いて、アクチュエータに設けられた第２の押圧部がそれに対応するコンタクトの係合部を第２の方向とは逆の第３の方向に押圧する。それにより、複数のコンタクトの夫々は、その係合部がアクチュエータに設けられたカム部によって第１の方向に押圧されることにより、その接触部をハウジングに差し込まれた配線板状部材における接触端子部に押圧接触させるとともに、その係合部がアクチュエータに設けられた第１の押圧部及び第２の押圧部によって第２の方向及び第３の方向に順次押圧されることにより、ハウジングに差し込まれた配線板状部材における接触端子部に押圧接触した接触部を接触端子部に対して往復摺動させる。
【００２０】
このようにして、複数のコンタクトの夫々の接触部が配線板状部材の接触端子部に対して往復摺動するものとされることにより、配線板状部材の接触端子部の表面に塵埃等の微細な異物が付着していた場合には、接触端子部の表面に付着した微細な異物が除去される。
【００２１】
そして、アクチュエータが第２の静止位置に移行せしめられた後においては、複数のコンタクトの夫々は、アクチュエータに設けられたカム部により、その接触部をハウジングに差し込まれた配線板状部材における接触端子部に押圧接触させた状態に維持される。
【００２２】
その後、複数のコンタクトの夫々がその接触部をハウジングに差し込まれた配線板状部材における接触端子部に押圧接触させた状態に維持されたもとで、アクチュエータが第２の静止位置から第１の静止位置に移行せしめられると、アクチュエータが係合する複数のコンタクトの夫々が、ハウジングに差し込まれた配線板状部材における複数の接触端子部のうちの対応するものに対する押圧接触状態から解放される。その際、アクチュエータが第２の静止位置から第１の静止位置に移行せしめられる過程において、アクチュエータに設けられたカム部がそれに対応するコンタクトの係合部に対する第１の方向の押圧を解除し、それにより、複数のコンタクトの夫々が、その接触部をハウジングに差し込まれた配線板状部材における接触端子部に対する押圧接触から解放する。また、アクチュエータに設けられた第１の押圧部がそれに対応するコンタクトの係合部を第２の方向に一時的に押圧する。それにより、複数のコンタクトの夫々の接触部が第１の方向に直交する方向に一時的に変位し、その後、例えば、コンタクト自体の弾性により元の位置へと復元する。
【００２３】
特に、本願発明のうちの本願の特許請求の範囲における請求項４に記載された発明に係るコネクタ装置にあっては、アクチュエータが有する複数の第１の押圧部と複数の第２の押圧部の夫々が複数のコンタクトの配列方向に沿って配列配置されており、それにより、第１の押圧部及び第２の押圧部がコンタクトの係合部を順次押圧する第２の方向及び第３の方向が、複数のコンタクトの配列方向に沿った方向とされる。
【発明の効果】
【００２４】
本願発明に係るコネクタ装置においては、上述のように、ハウジングに板状部材差込み部を通じて配線板状部材が差し込まれたもとで、アクチュエータが第１の静止位置から第２の静止位置に移行せしめられる過程において、ハウジングに配列配置された複数のコンタクトの夫々が、その接触部をハウジングに差し込まれた配線板状部材における接触端子部に押圧接触させるとともに、配線板状部材における接触端子部に押圧接触した接触部を接触端子部に対して往復摺動させるものとされ、それに続いて、アクチュエータが第２の静止位置に移行せしめられた後においては、複数のコンタクトの夫々は、その接触部をハウジングに差し込まれた配線板状部材における接触端子部に押圧接触させた状態に維持される。このようにして、複数のコンタクトの夫々の接触部が配線板状部材の接触端子部に対して往復摺動するものとされることにより、配線板状部材の接触端子部の表面に塵埃等の微細な異物が付着していた場合には、接触端子部の表面に付着した微細な異物が除去され、表面に付着した微細な異物が除去された配線板状部材の接触端子部に対して、複数のコンタクトの夫々の接触部が押圧接触する状態におかれる。
【００２５】
それにより、本願発明に係るコネクタ装置によれば、複数のコンタクトの夫々の接触部と配線板状部材の接触端子部とが、例えば、両者間の電気的接触抵抗が著しく高くなってしまう事態あるいは両者が電気的に絶縁されてしまう事態がまねかれて、適正な電気的接続状態におかれなくなってしまう、という事態を回避することができる。
【００２６】
また、本願発明に係るコネクタ装置においては、ハウジングに差し込まれた配線板状部材の接触端子部の表面に塵埃等の微細な異物が付着していた場合に、その微細な異物が除去される状態が、ハウジングに板状部材差込み部を通じて配線板状部材が差し込まれたもとで、アクチュエータが第１の静止位置から第２の静止位置に移行せしめられる過程において、アクチュエータに設けられたカム部がそれに対応するコンタクトの係合部を、例えば、板状部材差込み方向に直交する方向とされる第１の方向に押圧するとともに、アクチュエータに設けられた第１の押圧部及び第２の押圧部がそれらに対応するコンタクトの係合部を、板状部材差込み方向及び第１の方向の両者に直交する第２の方向及び第２の方向とは逆の第３の方向に順次押圧し、それにより、複数のコンタクトの夫々が、その接触部をハウジングに差し込まれた配線板状部材における接触端子部に押圧接触させるとともに、接触端子部に押圧接触した接触部を接触端子部に対して往復摺動させることにより得られる。それゆえ、本願発明に係るコネクタ装置によれば、ハウジングに差し込まれた配線板状部材の接触端子部の表面に塵埃等の微細な異物が付着していた場合に、その微細な異物が除去される状態が、ハウジング内のスペースが制限されてハウジングにおける板状部材差込み方向の寸法の増大がまねかれることなく得られることになる。
【００２７】
従って、本願発明に係るコネクタ装置によれば、ハウジングにおける板状部材差込み方向の寸法の増大をまねくことなく、複数のコンタクトの夫々の接触部と配線板状部材の接触端子部とが適正な電気的接続状態におかれなくなってしまう事態を回避することができる。
【図面の簡単な説明】
【００２８】
【図１】本願発明に係るコネクタ装置の一例を示す斜視図である。
【図２】本願発明に係るコネクタ装置の一例を示す正面図である。
【図３】本願発明に係るコネクタ装置の一例に装着されるフレキシブル印刷配線基板の一例を示す斜視図である。
【図４】本願発明に係るコネクタ装置の一例をハウジングの一部を除去したことにより現れる断面を含むものとして示す斜視図である。
【図５】本願発明に係るコネクタ装置の一例に備えられるコンタクトを示す斜視図である。
【図６】本願発明に係るコネクタ装置の一例に備えられるコンタクトを示す側面図である。
【図７】本願発明に係るコネクタ装置の一例に備えられるコンタクトを示す平面図である。
【図８】本願発明に係るコネクタ装置の一例に備えられるアクチュエータを示す斜視図である。
【図９】本願発明に係るコネクタ装置の一例に備えられるアクチュエータを示す正面図である。
【図１０】図９における X−X 線断面を示す断面図である。
【図１１】アクチュエータが第１の静止位置をとるものとされた本願発明に係るコネクタ装置の一例をその断面があらわされたものとしてす部分斜視図である。
【図１２】アクチュエータが第１の静止位置をとるものとされた本願発明に係るコネクタ装置の一例についての部分断面図である。
【図１３】アクチュエータが第１の静止位置から第２の静止位置への移行の途中におかれた本願発明に係るコネクタ装置の一例をその断面があらわされたものとして示す部分斜視図である。
【図１４】アクチュエータが第１の静止位置から第２の静止位置への移行の途中におかれた本願発明に係るコネクタ装置の一例についての部分断面図である。
【図１５】アクチュエータが第１の静止位置から第２の静止位置への移行の途中におかれた本願発明に係るコネクタ装置の一例を示す正面図である。
【図１６】アクチュエータが第１の静止位置から第２の静止位置への移行の途中におかれた本願発明に係るコネクタ装置の一例をハウジングの一部を除去したことにより現れる断面を含むものとして示す斜視図である。
【図１７】アクチュエータが第２の静止位置をとるものとされた本願発明に係るコネクタ装置の一例をその断面があらわされたものとして示す部分斜視図である。
【図１８】アクチュエータが第２の静止位置をとるものとされた本願発明に係るコネクタ装置の一例についての部分断面図である。
【図１９】アクチュエータが第２の静止位置をとるものとされた本願発明に係るコネクタ装置の一例を示す正面図である。
【図２０】アクチュエータが第２の静止位置をとるものとされた本願発明に係るコネクタ装置をハウジングの一部を除去したことにより現れる断面を含むものとして示す斜視図である。
【発明を実施するための形態】
【００２９】
本願発明を実施するための形態は、以下に述べられる本願発明についての実施例をもって説明される。
【実施例】
【００３０】
図１ (斜視図）及び図２（正面図）は、本願発明に係るコネクタ装置の一例を示し、図３は、図１に示される本願発明に係るコネクタ装置の一例に装着される配線板状部材を成すフレキシブル印刷配線基板を示す。
【００３１】
図１〜図３において、本願発明に係るコネクタ装置の一例を成すコネクタ装置１０は、合成樹脂等の絶縁材料によって形成され、電子機器等の配線基板に配されるハウジング１１を備えている。ハウジング１１には、その正面側端縁部に板状部材差込み部１２が設けられており、板状部材差込み部１２からハウジング１１の内部へと板状部材収容部１３（後述される図４，図１１，図１３，図１６，図１７及び図２０に示されている。）が拡がっている。即ち、ハウジング１１には、その内部に、板状部材収容部１３が板状部材差込み部１２に連結されたものとして設けられているのである。
【００３２】
ハウジング１１が、例えば、電子機器等の配線基板に配されるときには、コネクタ装置１０の全体が当該配線基板に取り付けられたものとされる。そして、電子機器等の配線基板に配されたハウジング１１に、図３に示される配線板状部材を成すフレキシブル印刷配線基板１５の一端部が、板状部材差込み部１２を通じてその内部へと差し込まれ、フレキシブル印刷配線基板１５が、ハウジング１１の内部に設けられた板状部材収容部１３に部分的に収容された状態におかれる。
【００３３】
ハウジング１１には、各々が弾性導電材料で形成された複数のコンタクト１６が、ハウジング１１の長手方向に沿う方向に沿って配列配置されて設けられている。複数のコンタクト１６の夫々は、図４に示されるように、その大部分がハウジング１１の内部に収容されたものとされているが、一端部がハウジング１１における正面側端縁部に対向する背面側端縁部からその外部に突出している。そして、複数のコンタクト１６の夫々におけるハウジング１１の背面側端縁部からその外部に突出する部分は、後述される図１１，図１３，図１６及び図１７に示されるように、接続端子部１６ａを形成している。
【００３４】
フレキシブル印刷配線基板１５には、その一端部において、各々が短冊状を成すものとされて配列配置された複数の信号用接触端子部１７Ｓと、それらを挟む一対の接地用接触端子部１７Ｅとが、ハウジング１１に対する板状部材差込み部１２を通じた差込みの方向である板状部材差込み方向に直交する方向に沿って配されている（以下、複数の信号用接触端子部１７Ｓとそれらを挟む一対の接地用接触端子部１７Ｅとが配されたフレキシブル印刷配線基板１５の一端部を端子端部という。）。また、フレキシブル印刷配線基板１５は、配列配置された複数の信号用接触端子部１７Ｓを挟む一対の接地用接触端子部１７Ｅが夫々配された両側端部分に、一対の切欠き係合受部１８が夫々形成されている。
【００３５】
このようなフレキシブル印刷配線基板１５は、その端子端部がコネクタ装置１０におけるハウジング１１に板状部材差込み部１２を通じて差し込まれて、ハウジング１１の内部に設けられた板状部材収容部１３に収容された状態におかれる。そして、斯かる状態のもとにおいて、複数の信号用接触端子部１７Ｓに、ハウジング１１に配列配置された複数のコンタクト１６のうちの信号用コンタクトとされたものが夫々押圧接触するとともに、一対の接地用接触端子部１７Ｅに、ハウジング１１に配列配置された複数のコンタクト１６のうちの接地用コンタクトとされたものが夫々押圧接触する状態がとられる。
【００３６】
複数のコンタクト１６の配列方向 (以下、コンタクト配列方向という。）を長手方向とするハウジング１１は、板状部材差込み部１２を通じたフレキシブル印刷配線基板１５の差込み方向を奥行き方向とし、その長手方向及び奥行き方向に直交する方向を厚み方向とするものとされる。従って、ハウジング１１の奥行き方向は、板状部材差込み方向と一致する。そして、フレキシブル印刷配線基板１５は、その端子端部が板状部材差込み部１２を通じてハウジング１１に差し込まれるにあたっては、複数の信号用接触端子部１７Ｓ及び一対の接地用接触端子部１７Ｅが配された面及びそれに対向する面が、ハウジング１１の厚み方向において相互対向する状態におかれる。
【００３７】
また、ハウジング１１における背面側端縁部側には、コンタクト配列方向、即ち、ハウジング１１の長手方向に沿って伸び、その長手方向がハウジング１１の長手方向に一致することになるアクチュエータ２０が、ハウジング１１に対して回動可能に設けられている。アクチュエータ２０は、図１，図２及び図４に示されるような、ハウジング１１に対して起き上がった状態におかれるものとされる位置を第１の静止位置としてとることができ、また、後述される図１７及び図２０に示されるような、ハウジング１１に対して伏した状態におかれるものとされる位置を第２の静止位置としてとることができて、回動操作されることにより、第１の静止位置から第２の静止位置への移行、あるいは、第２の静止位置から第１の静止位置への移行を行うものとされている。
【００３８】
さらに、ハウジング１１には、その長手方向、即ち、コンタクト配列方向の両端部に、各々の一部分がハウジング１１における正面側端縁部側においてハウジング１１外に臨むものとされた一対の係止部材２１が配されている。これら一対の係止部材２１は、各々が、例えば、弾性導電材料で形成されていて、配列配置された複数のコンタクト１６を挟む位置をとるものとされており、それらの各々が、フレキシブル印刷配線基板１５の端子端部が、ハウジング１１に板状部材差込み部１２を通じて差し込まれてハウジング１１の内部に設けられた板状部材収容部１３に収容された状態におかれたとき、フレキシブル印刷配線基板１５の端子端部に形成された切欠き係合受部１８に係合してフレキシブル印刷配線基板１５を係止し、フレキシブル印刷配線基板１５のハウジング１１からの不所望な抜脱を阻止する役割を果たす。
【００３９】
一対の係止部材２１の夫々は、詳細な図示は省略されているが、ハウジング１１に固定される固定ビーム部とされたビーム部２２とハウジング１１に対して移動可能とされる可動ビーム部とされたビーム部２３と、ビーム部２２とビーム部２３とを相互連結する連結部を有した全体として「エ」字状を成すものとして、弾性導電材料によって形成されている。そして、ビーム部２２の一端部は、ハウジング１１における正面側端縁部からその外部に突出する接続端子部２２ａを形成しており、接続端子部２２ａは、ハウジング１１が配される、例えば、電子機器の配線基板に設けられた配線部における接地電位部に接続される。また、ビーム部２３の一端部には、ハウジング１１における板状部材差込み部１２の内側に位置して、ハウジング１１に板状部材差込み部１２を通じて差し込まれたフレキシブル印刷配線基板１５の端子端部に形成された切欠き係合受部１８に係合し、フレキシブル印刷配線基板１５を係止する係合突起部２３ａが形成されている。
【００４０】
ハウジング１１に配列配置される複数のコンタクト１６の夫々は、図５（斜視図），図６（側面図）及び図７（平面図）に示されるように、弾性導電材料で形成された、全体として「エ」字状を成す部材とされている。このような「エ」字状とされたコンタクト１６にあっては、連結部２５によって相互連結された一対のビーム部２６及び２７のうち、ビーム部２６がハウジング１１に固定される固定ビーム部とされるとともに、ビーム部２７がハウジング１１に対して移動可能とされる可動ビーム部とされる。固定ビーム部とされたビーム部２６にあっては、その一端部に接続端子部１６ａが形成されており、また、接続端子部１６ａの近傍部分が、それにアクチュエータ２０が係合するアクチュエータ係合部２８とされている。一方、可動ビーム部とされたビーム部２７にあっては、ビーム部２６におけるアクチュエータ係合部２８に対向する端部が、それにアクチュエータ２０が係合する係合部２９とされ、また、ビーム部２６の他端部である端部３０に対向する端部に、フレキシブル印刷配線基板１５の端子端部に配された信号用接触端子部１７Ｓもしくは接地用接触端子部１７Ｅとの接触状態をとる接触部３１が形成されている。
【００４１】
複数のコンタクト１６の夫々のビーム部２７における係合部２９には、コンタクト配列方向に突出するものとなる凸部２９ａ，凸部２９ａに隣接するコンタクト配列方向に凹んだ第１の凹部２９ｂ及び凸部２９ａが形成された部分２９ｃに隣接するコンタクト配列方向に凹んだ第２の凹部２９ｄが設けられている。
【００４２】
このようなコンタクト１６は、そのビーム部２７が、連結部２５を変位中心にして、係合部２９をビーム部２６におけるアクチュエータ係合部２８から離隔するように移動させるとともに接触部３１をビーム部２６における端部３０に近接するように移動させる変位、及び、係合部２９をビーム部２６におけるアクチュエータ係合部２８に近接するように移動させるとともに接触部３１をビーム部２６における端部３０から離隔するように移動させる変位を行うことができ、かつ、そのビーム部２７が、連結部２５を変位中心にして、係合部２９をコンタクト配列方向に往復移動させるとともに接触部３１をコンタクト配列方向に往復移動させる変位を行うことができるものとされている。
【００４３】
また、ハウジング１１に対して回動可能に設けられるアクチュエータ２０は、図８（斜視図），図９（正面図）及び図１０（図９における X−X 線断面を示す断面図）に示されるように、ハウジング１１内において複数のコンタクト１６に係合するカム部３５，その長手方向の両端部に夫々設けられてハウジング１１からの抜けを防止する一対の抜止部３６，複数のコンタクト１６に夫々係合する複数の第１の押圧部３７，複数のコンタクト１６に夫々係合する複数の第２の押圧部３８、及び、操作部３９を有している。アクチュエータ２０がハウジング１１に配されたときには、複数の第１の押圧部３７は、コンタクト配列方向に沿って配列配置され、また、複数の第２の押圧部３８も、アクチュエータ２０がハウジング１１に配されたもとにおいては、コンタクト配列方向に沿って配列配置される。そして、複数の第１の押圧部３７の夫々は、複数のコンタクト１６の夫々のビーム部２７における係合部２９に設けられた凸部２９ａをコンタクト配列方向に沿って押圧する状態をとり、また、複数の第２の押圧部３８の夫々は、複数のコンタクト１６の夫々のビーム部２７における係合部２９に設けられた凸部２９ａが形成された部分２９ｃをコンタクト配列方向に沿って押圧する状態をとる。このようなアクチュエータ２０は、ハウジング１１に配されて操作部３９に操作が加えられるとき、カム部３５，一対の抜止部３６，複数の第１の押圧部３７及び複数の第２の押圧部３８の夫々を変位させつつ、ハウジング１１に対して回動する。
【００４４】
複数のコンタクト１６及びアクチュエータ２０がハウジング１１に配されたもとにあっては、図１１に示されるように、複数のコンタクト１６の夫々の固定ビーム部とされたビーム部２６と可動ビーム部とされたビーム部２７とが、連結部２５を挟んでハウジング１１の厚み方向において相互対向するものとされ、ビーム部２６がハウジング１１に形成された溝１１ａに配されてハウジング１１に固定される状態をもって、ハウジング１１内の板状部材収容部１３に収容される。そして、ビーム部２６における端部３０とビーム部２７における接触部３１とが、ハウジング１１の厚み方向において相互対向するものとされて、ハウジング１１に設けられた板状部材差込み部１２に臨む位置に配される。また、ビーム部２６におけるアクチュエータ係合部２８とビーム部２７における係合部２９とが、ハウジング１１の厚み方向において相互対向するものとされて、ハウジング１１の背面側端縁部側に配され、ビーム部２６の一端部に形成された接続端子部１６ａが、ハウジング１１における背面側端縁部からその外部に突出し、ハウジング１１が配される、例えば、電子機器の配線基板に設けられた配線部における端子部に接続される。
【００４５】
アクチュエータ２０は、ハウジング１１に対して回動可能に配され、図１１においては、ハウジング１１に対して起き上がった状態におかれる第１の静止位置をとるものとされている。アクチュエータ２０におけるカム部３５は、複数のコンタクト１６の夫々におけるビーム部２６に設けられたアクチュエータ係合部２８とビーム部２７に設けられた係合部２９とにより挟まれて、アクチュエータ係合部２８及び係合部２９の夫々に係合しており、アクチュエータ２０の回動に伴って回動する。
【００４６】
アクチュエータ２０が第１の静止位置をとるときには、図１１に示されるように、カム部３５における断面差渡し径が極大となる極大寸法部以外の部分が、複数のコンタクト１６の夫々のビーム部２６におけるアクチュエータ係合部２８とビーム部２７における係合部２９とに当接する。斯かる状況のもとでは、複数のコンタクト１６の夫々は、固定ビーム部とされたビーム部２６における端部３０と可動ビーム部とされたビーム部２７における接触部３１とが、ハウジング１１内の板状部材収容部１３において形成する相互間間隔を比較的大なるものに維持するものとされる。さらに、アクチュエータ２０が第１の静止位置をとるもとにあっては、図示は省略されているが、カム部３５における断面差渡し径が極大となる極大寸法部以外の部分が、一対の係止部材２１の夫々におけるビーム部２２の他端部に設けられたアクチュエータ係合部とビーム部２３の他端部に設けられた係合部とに当接し、それにより、一対の係止部材２１の夫々は、固定ビーム部とされたビーム部２２と可動ビーム部とされたビーム部２３に設けられた係合突起部２３ａとがハウジング１１内の板状部材収容部１３において形成する相互間間隔を比較的大なるものに維持するものとされる。
【００４７】
上述のようにアクチュエータ２０が第１の静止位置をとるもとにあっては、図１２に示されるように、アクチュエータ２０が有する複数の第１の押圧部３７の夫々が、複数のコンタクト１６の夫々のビーム部２７における係合部２９に設けられた第１の凹部２９ｂに係合し、また、アクチュエータ２０が有する複数の第２の押圧部３８の夫々が、複数のコンタクト１６の夫々のビーム部２７における係合部２９に設けられた第２の凹部２９ｄに対応する位置をとる。それにより、アクチュエータ２０が有する第１の押圧部３７及び第２の押圧部３８の夫々は、コンタクト１６のビーム部２７における係合部２９をコンタクト配列方向に沿って押圧する状態はとらない。
【００４８】
このようなコネクタ装置１０にあっては、アクチュエータ２０が第１の静止位置をとるもとにおいて、図３に示される配線板状部材としてのフレキシブル印刷配線基板１５が、その端子端部をもって、ハウジング１１に、板状部材差込み部１２を通じて、板状部材差込み方向に沿って差し込まれるものとされる。そして、板状部材差込み部１２を通じてハウジング１１に差し込まれたフレキシブル印刷配線基板１５の端子端部が、ハウジング１１内の板状部材収容部１３に収容される。
【００４９】
フレキシブル印刷配線基板１５の端子端部がハウジング１１内の板状部材収容部１３に収容されたもとにあっては、フレキシブル印刷配線基板１５の端子端部は、板状部材収容部１３内において、複数のコンタクト１６の夫々の固定ビームとされたビーム部２６における板状部材差込み部１２側の部分と可動ビーム部とされたビーム部２７における板状部材差込み部１２側の部分との間、及び、一対の係止部材２１の夫々における固定ビームとされたビーム部２２における板状部材差込み部１２側の部分と可動ビーム部とされたビーム部２３における板状部材差込み部１２側の部分との間に配される。また、このとき、ハウジング１１に配列配置された複数のコンタクト１６が、板状部材収容部１３に部分的に収容されたフレキシブル印刷配線基板１５の端子端部に配された複数の信号用接触端子部１７Ｓ及び一対の接地用接触端子部１７Ｅに夫々適正に対応する位置をとるものとされる。
【００５０】
その後、第１の静止位置をとるアクチュエータ２０が、その操作部３９に操作が加えられて、第１の静止位置から第２の静止位置に移行すべく回動せしめられるとき、アクチュエータ２０の第１の静止位置から第２の静止位置への移行の過程において、図１３に示されるように、アクチュエータ２０に設けられたカム部３５が、その極大寸法部を複数のコンタクト１６の夫々のビーム部２６におけるアクチュエータ係合部２８とビーム部２７における係合部２９との両者に係合させる。また、図示は省略されているが、斯かる際には、アクチュエータ２０に設けられたカム部３５は、その極大寸法部を一対の係止部材２１の夫々におけるビーム部２２に設けられたアクチュエータ係合部とビーム部２３に設けられた係合部との両者にも係合させる。
【００５１】
複数のコンタクト１６の夫々のビーム部２６におけるアクチュエータ係合部２８とビーム部２７における係合部２９との両者に係合したカム部３５の極大寸法部は、ビーム部２７における係合部２９をビーム部２６におけるアクチュエータ係合部２８から離隔させる方向、即ち、板状部材差込み方向に直交する方向である第１の方向に押圧する。それにより、複数のコンタクト１６の夫々は、そのビーム部２７が、連結部２５を変位中心にして、係合部２９をビーム部２６におけるアクチュエータ係合部２８から離隔するように移動させるとともに接触部３１をビーム部２６における端部３０に近接するように移動させる変位を行うものとされる。
【００５２】
斯かる際、フレキシブル印刷配線基板１５の端子端部が、板状部材収容部１３に収容されていて、複数のコンタクト１６の夫々におけるビーム部２６の板状部材差込み部１２側の部分とビーム部２７の板状部材差込み部１２側の部分との間に配されていると、複数のコンタクト１６の夫々のビーム部２７における接触部３１が、板状部材収容部１３に収容されたフレキシブル印刷配線基板１５の端子端部に配された複数の信号用接触端子部１７Ｓ及び一対の接地用接触端子部１７Ｅのうちの対応するものに押圧接触する状態におかれる。その結果、板状部材収容部１３に収容されたフレキシブル印刷配線基板１５において、端子端部に配された複数の信号用接触端子部１７Ｓの夫々が、対応するコンタクト１６を通じて、ハウジング１１が配された配線基板に設けられた配線部における信号端子部に電気的に接続されるとともに、端子端部に配された一対の接地用接触端子部１７Ｅの夫々が、対応するコンタクト１６を通じて、ハウジング１１が配された配線基板に設けられた配線部における接地電位端子部に電気的に接続されることになる。
【００５３】
また、一対の係止部材２１の夫々におけるビーム部２２に設けられたアクチュエータ係合部とビーム部２３に設けられた係合部との両者に係合したカム部３５の極大寸法部は、ビーム部２３に設けられた係合部をビーム部２２に設けられたアクチュエータ係合部から離隔させる方向となる第１の方向に押圧する。それにより、一対の係止部材２１の夫々は、そのビーム部２３が、連結部を変位中心にして、係合部をビーム部２２におけるアクチュエータ係合部から離隔するように移動させるとともに係合突起部２３ａをビーム部２２に近接するように移動させる変位を行うものとされる。
【００５４】
斯かる際、フレキシブル印刷配線基板１５の端子端部が、板状部材収容部１３に収容されていて、一対の係止部材２１の夫々におけるビーム部２２の板状部材差込み部１２側の部分とビーム部２３の板状部材差込み部１２側の部分との間に配されていると、一対の係止部材２１の夫々におけるビーム部２３に設けられた係合突起部２３ａが、板状部材収容部１３に部分的に収容されたフレキシブル印刷配線基板１５の端子端部に形成された切欠き係合受部１８に係合して、フレキシブル印刷配線基板１５を係止する状態におかれる。その結果、ハウジング１１内の板状部材収容部１３に収容された端子端部を有したフレキシブル印刷配線基板１５のハウジング１１からの不所望な抜脱が阻止される。
【００５５】
さらに、アクチュエータ２０の第１の静止位置から第２の静止位置への移行の過程においては、図１４に示されるように、アクチュエータ２０に設けられた複数の第１の押圧部３７の夫々が、それに対応するコンタクト１６のビーム部２７における係合部２９に設けられた凸部２９ａを、コンタクト配列方向に沿って図１４における右方から左方に向かう方向、即ち、板状部材差込み方向及び第１の方向の両者に直交して図１４における右方から左方に向かう方向である第２の方向に押圧する。それにより、複数のコンタクト１６の夫々は、そのビーム部２７における係合部２９に設けられた凸部２９ａがアクチュエータ２０に設けられた第１の押圧部３７によって第２の方向に押圧されることにより、ビーム部２７が、連結部２５を変位中心にして、係合部２９を第２の方向に移動させるとともに、接触部３１を第２の方向とは逆の方向、即ち、板状部材差込み方向及び第１の方向の両者に直交して図１４における左方から右方に向かう方向である第３の方向に移動させるものとされる。
【００５６】
このようにして、複数のコンタクト１６の夫々のビーム部２７が、それにおける接触部３１を第２の方向とは逆の第３の方向に移動させた状態が、図１５（正面図）及び図１６（斜視図）に示されている。図１５及び図１６に示される複数のコンタクト１６の夫々のビーム部２７は、それにおける接触部３１を第２の方向とは逆の第３の方向、即ち、図１５及び図１６における左方から右方に向かう方向に移動させていて、当該コンタクト１６のビーム部２６に対向する位置から若干ずれた位置をとるものとされている。
【００５７】
続いて、アクチュエータ２０の第１の静止位置から第２の静止位置への移行が進み、アクチュエータ２０が第２の静止位置をとるものとされるとき、図１７に示されるように、複数のコンタクト１６の夫々のビーム部２６におけるアクチュエータ係合部２８とビーム部２７における係合部２９との間に配されたアクチュエータ２０におけるカム部３５は、その極大寸法部が複数のコンタクト１６の夫々のビーム部２７における係合部２９を第１の方向に押圧する状態を維持するものとされる。それにより、複数のコンタクト１６の夫々にあっては、そのビーム部２７が、係合部２９をビーム部２６におけるアクチュエータ係合部２８から離隔させるとともに接触部３１をビーム部２６における端部３０に近接させた状態を維持する。
【００５８】
斯かる際、フレキシブル印刷配線基板１５の端子端部が、板状部材収容部１３に収容されていて、複数のコンタクト１６の夫々におけるビーム部２６の板状部材差込み部１２側の部分とビーム部２７の板状部材差込み部１２側の部分との間に配されていると、複数のコンタクト１６の夫々のビーム部２７における接触部３１が、板状部材収容部１３に収容されたフレキシブル印刷配線基板１５の端子端部に配された複数の信号用接触端子部１７Ｓ及び一対の接地用接触端子部１７Ｅのうちの対応するものに押圧接触した状態に維持される。その結果、板状部材収容部１３に収容されたフレキシブル印刷配線基板１５において、端子端部に配された複数の信号用接触端子部１７Ｓの夫々が、対応するコンタクト１６を通じて、ハウジング１１が配された配線基板に設けられた配線部における信号端子部に電気的に接続された状態に維持されるとともに、端子端部に配された一対の接地用接触端子部１７Ｅの夫々が、対応するコンタクト１６を通じて、ハウジング１１が配された配線基板に設けられた配線部における接地電位端子部に電気的に接続された状態に維持される。
【００５９】
また、一対の係止部材２１の夫々におけるビーム部２２に設けられたアクチュエータ係合部とビーム部２３に設けられた係合部との間に配されたアクチュエータ２０におけるカム部３５は、その極大寸法部が、ビーム部２３に設けられた係合部を第１の方向に押圧する状態を維持するものとされる。それにより、一対の係止部材２１の夫々にあっては、そのビーム部２３が、係合部をビーム部２２におけるアクチュエータ係合部から離隔させるとともに係合突起部２３ａをビーム部２２に近接させた状態を維持する。
【００６０】
斯かる際、フレキシブル印刷配線基板１５の端子端部が、板状部材収容部１３に収容されていて、一対の係止部材２１の夫々におけるビーム部２２の板状部材差込み部１２側の部分とビーム部２３の板状部材差込み部１２側の部分との間に配されていると、一対の係止部材２１の夫々におけるビーム部２３に設けられた係合突起部２３ａが、板状部材収容部１３に収容されたフレキシブル印刷配線基板１５の端子端部に形成された切欠き係合受部１８に係合して、フレキシブル印刷配線基板１５を係止する状態に維持される。その結果、ハウジング１１内の板状部材収容部１３に収容された端子端部を有したフレキシブル印刷配線基板１５が、ハウジング１１からの不所望な抜脱が阻止された状態に維持される。
【００６１】
さらに、アクチュエータ２０の第１の静止位置から第２の静止位置への移行が進んでアクチュエータ２０が第２の静止位置をとるものとされるときには、図１８に示されるように、アクチュエータ２０に設けられた複数の第１の押圧部３７の夫々が、それに対応するコンタクト１６のビーム部２７における係合部２９に設けられた凸部２９ａを乗り越えて凸部２９ａから外れ、それに代わって、アクチュエータ２０に設けられた複数の第２の押圧部３８の夫々が、それに対応するコンタクト１６のビーム部２７における係合部２９の凸部２９ａが形成された部分２９ｃを，コンタクト配列方向に沿って図１８における左方から右方に向かう方向、即ち、第２の方向とは逆の方向とされる第３の方向に押圧する。それにより、複数のコンタクト１６の夫々は、そのビーム部２７における係合部２９の凸部２９ａが形成された部分２９ｃがアクチュエータ２０に設けられた第２の押圧部３８によって第３の方向に押圧されることにより、ビーム部２７が、連結部２５を変位中心にして、係合部２９を第３の方向に移動させるとともに、接触部３１を第２の方向に移動させるものとされる。
【００６２】
このようにして、複数のコンタクト１６の夫々のビーム部２７が、図１５及び図１６に示されるように第２の方向とは逆の第３の方向に移動せしめられた接触部３１を、第２の方向に移動させた状態が、図１９（正面図）及び図２０（斜視図）に示されている。図１９及び図２０に示される複数のコンタクト１６の夫々のビーム部２７は、それにおける接触部３１が、一旦第２の方向とは逆の第３の方向に移動せしめられた後、第２の方向、即ち、図１９及び図２０における右方から左方に向かう方向に移動せしめられて元の位置に戻されたものとされており、当該コンタクト１６のビーム部２６に対向する位置をとるものとされている。
【００６３】
斯かる際に、フレキシブル印刷配線基板１５の端子端部が、板状部材収容部１３に収容されていて、複数のコンタクト１６の夫々におけるビーム部２６の板状部材差込み部１２側の部分とビーム部２７の板状部材差込み部１２側の部分との間に配されていると、複数のコンタクト１６の夫々のビーム部２７における接触部３１が、板状部材収容部１３に収容されたフレキシブル印刷配線基板１５の端子端部に配された複数の信号用接触端子部１７Ｓ及び一対の接地用接触端子部１７Ｅのうちの対応するものに押圧接触したもとで、第２の方向とは逆の第３の方向及び第２の方向に順次移動せしめられて、当該信号用接触端子部１７Ｓまたは接地用接触端子部１７Ｅに対して往復摺動を行うものとされる。即ち、複数のコンタクト１６の夫々は、そのビーム部２７における係合部２９がアクチュエータ２０に設けられたカム部３５によって第１の方向に押圧されることにより、そのビーム部２７における接触部３１をハウジング１１に差し込まれたフレキシブル印刷配線基板１５の端子端部に配された複数の信号用接触端子部１７Ｓ及び一対の接地用接触端子部１７Ｅのうちの対応するものに押圧接触させるとともに、その係合部２９に設けられた凸部２９ａがアクチュエータ３５に設けられた第１の押圧部３７によって第２の方向に押圧され、次に、その係合部２９の凸部２９ａが形成された部分２９ｃがアクチュエータ２０に設けられた第２の押圧部３８によって第３の方向に押圧されることにより、ハウジング１１に差し込まれたフレキシブル印刷配線基板１５の端子端部に配された信号用接触端子部１７Ｓまたは接地用接触端子部１７Ｅに押圧接触した接触部３１を当該信号用接触端子部１７Ｓまたは接地用接触端子部１７Ｅに対して往復摺動させるのである。
【００６４】
このようにして、複数のコンタクト１６の夫々のビーム部２７における接触部３１がフレキシブル印刷配線基板１５の端子端部に配された信号用接触端子部１７Ｓまたは接地用接触端子部１７Ｅに対して往復摺動するものとされることにより、信号用接触端子部１７Ｓまたは接地用接触端子部１７Ｅの表面に塵埃等の微細な異物が付着していた場合には、その付着した微細な異物が除去される。そして、アクチュエータ２０が第２の静止位置に移行せしめられた後においては、複数のコンタクト１６の夫々は、そのビーム部２７における接触部３１を、表面に付着した微細な異物が除去されたフレキシブル印刷配線基板１５の端子端部に配された信号用接触端子部１７Ｓまたは接地用接触端子部１７Ｅに押圧接触させた状態に維持される。
【００６５】
その後、必要に応じて、複数のコンタクト１６の夫々がビーム部２７における接触部３１をハウジング１１に差し込まれたフレキシブル印刷配線基板１５の端子端部に配された信号用接触端子部１７Ｓまたは接地用接触端子部１７Ｅに押圧接触させた状態に維持されたもとで、アクチュエータ２０が、その操作部３９に操作が加えられて、第２の静止位置から第１の静止位置に移行せしめられると、アクチュエータ２０が係合する複数のコンタクト１６の夫々のビーム部２７における接触部３１が、ハウジング１１に差し込まれたフレキシブル印刷配線基板１５の端子端部に配された信号用接触端子部１７Ｓまたは接地用接触端子部１７Ｅに対する押圧接触状態から解放される。その際、アクチュエータ２０が第２の静止位置から第１の静止位置に移行せしめられる過程において、アクチュエータ２０に設けられたカム部３５が、複数のコンタクト１６の夫々のビーム部２７における係合部２９に対する第１の方向の押圧を解除し、それにより、複数のコンタクト１６の夫々が、そのビーム部２７における接触部３１をハウジング１１に差し込まれたフレキシブル印刷配線基板１５の端子端部に配された信号用接触端子部１７Ｓまたは接地用接触端子部１７Ｅに対する押圧接触から解放する。また、アクチュエータ２０に設けられた複数の第１の押圧部３７の夫々が、それに対応するコンタクト１６のビーム部２７における係合部２９に設けられた凸部２９ａを第２の方向に一時的に押圧する。それにより、複数のコンタクト１６の夫々のビーム部２７における接触部３１が第３の方向に一時的に変位し、その後、例えば、コンタクト１６自体の弾性により元の位置へと復元する。
【００６６】
さらに、アクチュエータ２０が第２の静止位置から第１の静止位置に移行せしめられる過程において、アクチュエータ２０に設けられたカム部３５が、一対の係止部材２１の夫々におけるビーム部２３に設けられた係合突起部２３ａを、板状部材収容部１３に収容されたフレキシブル印刷配線基板１５の端子端部に形成された切欠き係合受部１８との係合を解除して、フレキシブル印刷配線基板１５を係止された状態から解放するものとされる。その結果、ハウジング１１内の板状部材収容部１３に収容された端子端部を有したフレキシブル印刷配線基板１５が、ハウジング１１から適正に抜脱され得る状態におかれる。
【００６７】
なお、配線板状部材を成すフレキシブル印刷配線基板１５は、図３に示されるような、一対の切欠き係合受部１８に代えて、一対の透孔とされた係合受部が端子端部に形成されたものとされてもよい。
【００６８】
上述のように、コネクタ装置１０においては、ハウジング１１に板状部材差込み部１２を通じて配線板状部材を成すフレキシブル印刷配線基板１５の端子端部が差し込まれたもとで、アクチュエータ２０が第１の静止位置から第２の静止位置に移行せしめられる過程において、ハウジング１１に配列配置された複数のコンタクト１６の夫々が、そのビーム部２７における接触部３１をハウジング１１に差し込まれたフレキシブル印刷配線基板１５の端子端部における信号用接触端子部１７Ｓまたは接地用接触端子部１７Ｅに押圧接触させるとともに、信号用接触端子部１７Ｓまたは接地用接触端子部１７Ｅに押圧接触した接触部３１を信号用接触端子部１７Ｓまたは接地用接触端子部１７Ｅに対して往復摺動させるものとされ、それに続いて、アクチュエータ２０が第２の静止位置に移行せしめられた後においては、複数のコンタクト１６の夫々は、そのビーム部２７における接触部３１をハウジング１１に差し込まれたフレキシブル印刷配線基板１５の端子端部における信号用接触端子部１７Ｓまたは接地用接触端子部１７Ｅに押圧接触させた状態に維持される。このようにして、複数のコンタクト１６の夫々のビーム部２７における接触部３１がフレキシブル印刷配線基板１５の端子端部における信号用接触端子部１７Ｓまたは接地用接触端子部１７Ｅに対して往復摺動するものとされることにより、信号用接触端子部１７Ｓまたは接地用接触端子部１７Ｅの表面に塵埃等の微細な異物が付着していた場合には、信号用接触端子部１７Ｓまたは接地用接触端子部１７Ｅの表面に付着した微細な異物が除去され、表面に付着した微細な異物が除去された信号用接触端子部１７Ｓまたは接地用接触端子部１７Ｅに対して、複数のコンタクト１６の夫々のビーム部２７における接触部３１が押圧接触する状態におかれる。
【００６９】
それにより、コネクタ装置１０によれば、複数のコンタクト１６の夫々のビーム部２７における接触部３１とフレキシブル印刷配線基板１５の端子端部における信号用接触端子部１７Ｓまたは接地用接触端子部１７Ｅとが、例えば、両者間の電気的接触抵抗が著しく高くなってしまう事態あるいは両者が電気的に絶縁されてしまう事態がまねかれて、適正な電気的接続状態におかれなくなってしまう、という事態を回避することができる。
【００７０】
また、コネクタ装置１０においては、ハウジング１１に差し込まれたフレキシブル印刷配線基板１５の端子端部における信号用接触端子部１７Ｓまたは接地用接触端子部１７Ｅの表面に塵埃等の微細な異物が付着していた場合に、その微細な異物が除去される状態が、ハウジング１１に板状部材差込み部１２を通じてフレキシブル印刷配線基板１５の端子端部が差し込まれたもとで、アクチュエータ２０が第１の静止位置から第２の静止位置に移行せしめられる過程において、アクチュエータ２０に設けられたカム部３５がそれに対応するコンタクト１６のビーム部２７における係合部２９を、板状部材差込み方向に直交する方向とされる第１の方向に押圧するとともに、アクチュエータ２０に設けられた第１の押圧部３７及び第２の押圧部３８がそれらに対応するコンタクト１６のビーム部２７における係合部２９を、板状部材差込み方向及び第１の方向の両者に直交する第２の方向及び第２の方向とは逆の第３の方向に順次押圧し、それにより、複数のコンタクト１６の夫々が、そのビーム部２７における接触部３１をハウジング１１に差し込まれたフレキシブル印刷配線基板１５の端子端部における信号用接触端子部１７Ｓまたは接地用接触端子部１７Ｅに押圧接触させるとともに、信号用接触端子部１７Ｓまたは接地用接触端子部１７Ｅに押圧接触した接触部３１を信号用接触端子部１７Ｓまたは接地用接触端子部１７Ｅに対して往復摺動させることにより得られるので、ハウジング１１内のスペースが制限されてハウジング１１における板状部材差込み方向の寸法の増大がまねかれることなく得られることになる。
【００７１】
従って、コネクタ装置１０によれば、ハウジング１１における板状部材差込み方向の寸法の増大をまねくことなく、複数のコンタクト１６の夫々のビーム部２７における接触部３１とフレキシブル印刷配線基板１５の端子端部における信号用接触端子部１７Ｓまたは接地用接触端子部１７Ｅとが適正な電気的接続状態におかれなくなってしまう事態を回避することができる。
【産業上の利用可能性】
【００７２】
以上のような本願発明に係るコネクタ装置は、フレキシブル印刷配線基板等とされる配線板状部材の他の配線基板への取付けに用いられる、板状部材差込み部が設けられたハウジングと、ハウジングに配列配置されて設けられた複数のコンタクトと、回動可能に配されて複数のコンタクトの夫々に係合し、複数のコンタクトの夫々の接触部に板状部材差込み部を通じてハウジングに差し込まれた配線板状部材における接触端子部に対する押圧接触状態と押圧接触を解除する状態とをとらせるアクチュエータとを備えたコネクタ装置であって、ハウジングにおける板状部材差込み方向の寸法の増大をまねくことなく、複数のコンタクトの夫々の接触部と配線板状部材の接触端子部とが適正な電気的接続状態におかれなくなってしまう事態を回避することができるものとして、様々な電子機器等に広く適用され得るものである。
【符号の説明】
【００７３】
１０・・・コネクタ装置，  １１・・・ハウジング，  １２・・・板状部材差込み部，  １３・・・板状部材収容部，  １５・・・フレキシブル印刷配線基板，  １６・・・コンタクト，  １７Ｓ・・・信号用接触端子部，  １７Ｅ・・・接地用接触端子部，  １８・・・切欠き係合受部，  ２０・・・アクチュエータ，  ２１・・・係止部材，  ２５・・・連結部，  ２２，２３，２６，２７・・・ビーム部，  ２８・・・アクチュエータ係合部，  ２９・・・係合部，  ２９ａ・・・凸部，  ２９ｂ・・・第１の凹部，  ２９ｃ・・・凸部２９ａが形成された部分，  ２９ｄ・・・第２の凹部，  ３０・・・（ビーム部２６の）端部，  ３１・・・接触部，  ３５・・・カム部，  ３７・・・第１の押圧部，  ３８・・・第２の押圧部，  ３９・・・操作部
【図１】
2014179299.tif 000003
【図２】
2014179299.tif 000004
【図３】
2014179299.tif 000005
【図４】
2014179299.tif 000006
【図５】
2014179299.tif 000007
【図６】
2014179299.tif 000008
【図７】
2014179299.tif 000009
【図８】
2014179299.tif 000010
【図９】
2014179299.tif 000011
【図１０】
2014179299.tif 000012
【図１１】
2014179299.tif 000013
【図１２】
2014179299.tif 000014
【図１３】
2014179299.tif 000015
【図１４】
2014179299.tif 000016
【図１５】
2014179299.tif 000017
【図１６】
2014179299.tif 000018
【図１７】
2014179299.tif 000019
【図１８】
2014179299.tif 000020
【図１９】
2014179299.tif 000021
【図２０】
2014179299.tif 000022